(57)【特許請求の範囲】
【請求項１】
片面に不透明膜が塗着された転写テープと、この転写テープが巻装されると共に互いに連動して回転する供給リール及び巻取リールの対と、前記両支持体を回転自在に支持する合成樹脂製の支持体と、前記支持体が内設されたケースとを備えており、
前記支持体に、前記供給リールから引き出された転写テープを巻取リールに到る前に紙面に圧着して不透明膜を転写させるためのテープヘッドが設けられている一方、
前記ケースの一端部には、前記テープヘッドを突出・退入させる開口が形成されていると共に、ケースの内部には、テープヘッドがケースの内部に退入するように支持体を弾圧するバネが配置されており、ケースのうち開口と反対側の他端部から露出した押ボタンを押すと支持体がバネに抗して前進してテープヘッドが前記開口から突出する修正具であって、
前記テープヘッドを前記ケースの開口から突出した状態に保持する保持手段が備えられており、
更に、前記支持体のうち前記両リールの回転軸心に沿った方向から見て前後両側の面に、ケースの内面に当接するスライドガイドを一体に形成している、
転写テープ式修正具。
【請求項２】
前記テープヘッドを、支持体の片方の面に設けたスライドガイドの端部に一体成形している、
請求項１に記載した転写テープ式修正具。
【発明の詳細な説明】
【技術分野】
【０００１】
本発明は、転写テープから不透明膜を紙に転写することによって文字等を消す転写テープ式修正具に関するものである。
【背景技術】
【０００２】
従来、転写テープが巻装された供給リールと巻取リールを支持体に設け、前記支持体をケースの内部に設けて、転写テープに塗着された不透明膜を紙面に転写することによって文字等を消す転写テープ式修正具がある（例えば、特許文献１参照）。
【特許文献１】特開２０００−２１１７９９号公報
【発明の開示】
【発明が解決しようとする課題】
【０００３】
この種の転写テープ式修正具において、供給リールから引き出されたテープヘッドを介して供給リールに巻取られており、テープヘッドを介して転写テープを紙面に圧着させることにより、転写テープの不透明膜が紙面に転移して文字等が消される。
【０００４】
しかして、前記特許文献１のものは、転写テープを案内するテープヘッドがケースから常に突出していたから、テープヘッドを覆うキャップを設けて該部の転写テープを保護する必要があり、前記キャップを取外したり移動させてテープヘッドを露出させる操作を行う必要がある。また、取外したキャップを紛失し易い。
【０００５】
そこで、ケースからテープヘッドを出入動させることもできるが、この場合は、供給リールと巻取リールとに巻装された転写テープがテープヘッドの前進動にて引き出されるから、テープヘッドを後退させたときに転写テープが弛む不具合がある。
【課題を解決するための手段】
【０００６】
請求項１の発明において、修正具は、片面に不透明膜が塗着された転写テープと、この転写テープが巻装されると共に互いに連動して回転する供給リール及び巻取リールの対と、前記両支持体を回転自在に支持する合成樹脂製の支持体と、前記支持体が内設されたケースとを備えており、前記支持体に、前記供給リールから引き出された転写テープを巻取リールに到る前に紙面に圧着して不透明膜を転写させるためのテープヘッドが設けられている一方、前記ケースの一端部には、前記テープヘッドを突出・退入させる開口が形成されていると共に、ケースの内部には、テープヘッドがケースの内部に退入するように支持体を弾圧するバネが配置されており、ケースのうち開口と反対側の他端部から露出した押ボタンを押すと支持体がバネに抗して前進してテープヘッドが前記開口から突出する。
【０００７】
そして、前記テープヘッドを前記ケースの開口から突出した状態に保持する保持手段が備えられており、更に、前記支持体のうち前記両リールの回転軸心に沿った方向から見て前後両側の面に、ケースの内面に当接するスライドガイドを一体に形成している。
【０００８】
請求項２の発明では、請求項１において、前記テープヘッドを、支持体の片方の面に設けたスライドガイドの端部に一体成形している。
【発明の効果】
【０００９】
本願発明では、テープヘッドをケースから出入動させてもテープヘッドと供給リール及び巻取リール間の距離は一定に保たれるから、転写テープの張力を殆んど変化させることなくテープヘッドを出入動させることができ、このため、テープヘッドの出入動にて転写テープが弛むのを防止できる。
【００１０】
また、支持体はケースの内部でスライドガイドを介してスライド移動するから、テープヘッドの突出又は退入又は移動の途中のそれぞれで支持体がケースに適正な姿勢で支持される。
【００１１】
また、テープヘッドのスライドは、押ボタンの押し操作とバネにて行われるから、テープヘッドを覆う従来のキャップなどを不要にすることができ、従来のようにキャップ又は指などにて転写テープが損傷するのを低減できる。
【００１２】
更に、テープヘッドはケースの開口から突出した位置に保持されるから、押ボタンから指を離した状態で修正具を使用できる。
【発明を実施するための最良の形態】
【００１３】
以下、本発明の実施形態を図面に基づいて詳述する。
【００１４】
図１は全体の正面図、図２は同側面図、図３は断面正面図、図４は断面側面図である。転写テープ式修正具は、合成樹脂製で細長い平板形の支持体１を備えており、この支持体１の片面に、当該支持体１の長手方向に離れた２本のリール軸２，３を一体形成し、支持体１の端部側に位置した一方のリール軸２には供給リール４を回転自在に回転自在に軸支し、他方のリール軸３には巻取リール５を回転自在に軸支している。そして、両リール４，５に一体形成されたプーリ６，７にゴムベルト８を巻きかけている。従って、各リール４，５はベルト８を介して同じ方向に連動して（同期して）回転する。
【００１５】
また、前記支持体１の両面に、当該支持体１の長手方向に延びるスライドガイド９，１０を一体形成し、リール軸２，３が形成されている面に形成した一方のガイド１０のうち供給リール４と反対側の端部にテープヘッド１１を一体形成している。
【００１６】
紙面に不透明膜（塗料）を塗着させる転写テープ１２は供給リール４に巻かれており、転写テープ１２はテープヘッド１１に案内されてから巻取リール５に巻き取られる。すなわち、転写テープ１２を紙面に圧着させてスライドさせることにより、不透明膜が紙面に転写されて文字等が消され、また、両リール４，５がベルト８を介して連動回転するため、不透明膜が紙面に転写された後の転写テープは巻取リール５に巻き取られる。
【００１７】
支持体１はケース１６の内部に配置されている。ケース１６は合成樹脂製の２つのケース部材１４，１５からなっており、２つ割面１３を介してケース部材１４，１５を合体させることによってケース１６が形成されている。支持体１は、スライドガイド９，１０の案内によって長手方向に摺動自在となるようにケース１６に内設されている。
【００１８】
ケース１６の一端部（紙面で下側）には前記テープヘッド１１を出入動させる開口１７が形成されている一方、ケース１６の他端部（紙面で上側）からは、支持体１に一体成形された押ボタン１８が露出している。
また、ケース１６の内部のうち一端寄り部位（下部）には、テープヘッド１１を退入させるバネ９を配置しており、ケース１６を握った手の指で押ボタン１８を押すと、バネ１９に抗して支持体１が摺動し、図５乃至図７に示す如く、ケース１の開口１７からテープヘッド１１が突出する。
【００１９】
また、前記支持体１にフック２０を一体形成し、テープヘッド１１がケース１６から突出した使用状態で一方のケース部材１５の突起２１に前記フック２０を係合させることにより、バネ１９に抗してテープヘッド１１がケース１６から突出した使用状態を保持しており、これにより、転写テープ１２の不透明膜（塗料）を紙面などに塗着させる操作を行える。
【００２０】
そして、一方のケース部材１５に解除ボタン２２を一体形成しており、図７のように、テープヘッド１１がケース１６から突出した状態下で、解除ボタン２２を指で押込むと解除ボタン２２がフック２０に当接してフック２０が突起２１から離脱し、すると、バネ１９によって支持体１が摺動し、図４のようにテープヘッド１１はケース１６の内部に退入する。
【００２１】
上記のように、転写テープ１２が巻かれる供給リール４と巻取リール５を支持体１に設け、前記支持体１をケース１６に内設した修正具において、前記転写テープ１２を案内するテープヘッド１１を前記支持体１に設けると共に、前記ケース１６に支持体１を摺動自在に内設し、ケース１６の開口１７からテープヘッド１１を突出させたり退入させるように構成している。
【００２２】
そして、ケース１６の内部にテープヘッド１１を退入させることにより、不使用（保管）時に転写テープ１２またはテープヘッド１１などが損傷するのを防止し、テープヘッド１１を覆う従来のキャップを不要にし、キャップの脱着または摺動などの操作を省き、脱着によってキャップを紛失する等の不具合もなくしている。また、テープヘッド１１を支持体１に設けたことにより、テープヘッド１１を出入動させてもテープヘッド１１と前記各リール４，５間の距離は略一定に保たれて、転写テープ１２の張力を殆んど変化させることなくテープヘッド１１を出入させることができ、これにより、製造コストの低減、並びに取扱い操作性の向上などを図られる。
【００２３】
また、テープヘッド１１を突出させる押ボタン１８を支持体１に設け、ケース１６の外側に前記押ボタン１８を突出させると共に、テープヘッド１１を突出させた状態に係止させるフック２０と、テープヘッド１１を退入させるバネ１９を設けているため、取扱い操作性の向上などが図られる。
【図面の簡単な説明】
【００２４】
【図１】本願発明の実施形態の全体の正面図である。
【図２】側面図である。
【図３】縦断正面図である。
【図４】側断面図である。
【図５】使用状態の正面図である。
【図６】使用状態の正断面図である。
【図７】使用状態の側断面図である。
【符号の説明】
【００２５】
１  支持体
４  供給リール
５  巻取リール
９，１０  スライドガイド
１１  テープヘッド
１２  転写テープ
１６  ケース
１７  開口
１８  押ボタン
１９  バネ
２２  解除ボタン
【図１】
0003712723.tif 000002
【図２】
0003712723.tif 000003
【図３】
0003712723.tif 000004
【図４】
0003712723.tif 000005
【図５】
0003712723.tif 000006
【図６】
0003712723.tif 000007
【図７】
0003712723.tif 000008